(57)【要約】【課題】パネル部全体を移動させる場合に比べて、操作力を低減することができる。【解決手段】発電手段の発電を利用して水回り機器を遠隔制御するリモコン装置であって、窪部が形成された筐体と、窪部に配置されたボタンと、ボタンの一端部側に設けられ、筐体に回転自在に固定される支点部と、支点部よりも他端部側に設けられ、窪部に向かって突起し、発電手段に対して作用してボタンの押し操作の力を利用した発電をさせる作用点部と、作用点部を付勢する付勢手段と、ボタンの作用点部よりも他端部側に設けられ、付勢手段で付勢された状態において、窪部から外部に少なくとも一部が突出しており押し操作されることで支点部の周りを回転して作用点部を作用させる力点部と、を備えるリモコン装置。【選択図】  図２５
2015231154.tif 000002
【特許請求の範囲】
【請求項１】
発電手段の発電を利用して水回り機器を遠隔制御するリモコン装置であって、
窪部が形成された筐体と、
前記窪部に配置されたボタンと、
前記ボタンの一端部側に設けられ、前記筐体に回転自在に固定される支点部と、
前記支点部よりも前記ボタンの他端部側に設けられ、前記窪部に向かって突起し、前記発電手段に対して作用して前記ボタンの押し操作の力を利用した発電をさせる作用点部と、
前記作用点部を付勢する付勢手段と、
前記ボタンの前記作用点部よりも前記他端部側に設けられ、前記付勢手段で付勢された状態において、前記窪部から外部に少なくとも一部が突出しており前記押し操作されることで前記支点部の周りを回転して前記作用点部を作用させる力点部と、
を備えるリモコン装置。
【請求項２】
前記力点部は、前記一端部と前記ボタンの他端部との間に前記力点部の頂点部分が位置する形状である、
請求項１に記載のリモコン装置。
【請求項３】
前記ボタンを第Ａボタンとしたとき、
前記筐体には、前記第Ａボタンの前記他端部と対向し、前記付勢手段とは別の付勢手段で付勢された第Ｂボタンが設けられている、
請求項１又は請求項２に記載のリモコン装置。
【請求項４】
前記ボタンは、板状であり、
前記ボタンの板厚面は、前記支点部側が前記窪部内にあり前記力点部側が前記支点部側から湾曲している、
請求項１乃至請求項３の何れか１項に記載のリモコン装置。
【請求項５】
前記力点部における板厚面のうち表面は、前記力点部の頂点部分に向かって傾斜する第１の表面と、前記頂点部分から前記筐体に向かって傾斜する第２の表面とを有し、
前記第１の表面は、前記第２の表面よりも前記筐体の表面に対する傾斜角度が小さい、
請求項４に記載のリモコン装置。
【請求項６】
前記ボタンは、正面視が四角形状であり、
前記ボタンの板厚面のうち表面は、前記力点部側から前記支点部側に向かう方向と垂直な方向においても少なくとも当該方向の両端部が湾曲している、
請求項４又は請求項５に記載のリモコン装置。
【請求項７】
前記窪部の底面には、第１の底面と前記第１の底面より深い第２の底面とが形成され、
前記第１の底面が前記支点部側の前記板厚面と対向する一方で、前記第２の底面が前記力点部側の前記板厚面と対向する、
請求項４乃至請求項６の何れか１項に記載のリモコン装置。
【発明の詳細な説明】
【技術分野】
【０００１】
本発明は、リモコン装置に関する。
【背景技術】
【０００２】
例えば、トイレ室、浴室、キッチン、及び洗面といった所謂「４空間」内には、４空間内にある水回り電子機器（以下、「水回り機器」と称す。）を遠隔操作するリモコン装置が設けられている。このようなリモコン装置の中には、衛生洗浄装置のリモコン装置として無電源で動作し、その結果、電源コードや電池などが不要とされたものがある。
【０００３】
例えば、特許文献１には、ベース部から付勢されたパネル部に複数のスイッチ（ボタン）が設けられ、使用者によってスイッチが押し操作されると、パネル部全体が移動し、軸に対してスイッチ体が回転し、回転リンク機構が移動することにより圧電発電装置が発電を行い、この電力を利用して制御部が衛生洗浄装置に制御信号を送信するリモコン装置が開示されている。
【先行技術文献】
【特許文献】
【０００４】
【特許文献１】特開２００６−９２８０号公報
【発明の概要】
【発明が解決しようとする課題】
【０００５】
しかしながら、特許文献１に記載のリモコン装置では、発電のためには、回転リンク機構の移動など圧電発電装置が無い場合に比べて負荷が掛かる為、当該負荷の分だけ大きな力が必要になるものの、押し操作によりパネル部全体を移動させる構成だと、押し操作の力（以下、「操作力」という。）がそのまま発電に必要な力となるため、操作力を大きくしなければならなかった。
【０００６】
そこで、本発明は、かかる課題の認識に基づいてなされたものであり、パネル部全体を移動させる場合に比べて、操作力を低減することができるリモコン装置を提供することを目的とする。
【課題を解決するための手段】
【０００７】
上記検討結果を鑑みて、本発明の第１態様に係るリモコン装置は、発電手段の発電を利用して水回り機器を遠隔制御するリモコン装置であって、窪部が形成された筐体と、前記窪部に配置されたボタンと、前記ボタンの一端部側に設けられ、前記筐体に回転自在に固定される支点部と、前記支点部よりも前記ボタンの他端部側に設けられ、前記窪部に向かって突起し、前記発電手段に対して作用して前記ボタンの押し操作の力を利用した発電をさせる作用点部と、前記作用点部を付勢する付勢手段と、前記ボタンの前記作用点部よりも前記他端部側に設けられ、前記付勢手段で付勢された状態において、前記窪部から外部に少なくとも一部が突出しており前記押し操作されることで前記支点部の周りを回転して前記作用点部を作用させる力点部と、を備える。
【０００８】
この構成では、発電手段はボタンの押し操作の力（操作力）を利用した発電をするため、発電手段が無い場合に比べてボタンの押し操作に負荷が掛かるものの、支点部と作用点部と力点部を備えており、力点部が押し操作されることで支点部の周りを回転して作用点部を作用させている。そして、この構成では、てこの原理を利用、すなわち力点部を作用点部よりも他端部側に設けて、支点部と作用点部との間の距離よりも支点部と力点部との間の距離を長くすることで、作用点部が発電手段に作用させる力を操作力よりも大きくしている。したがって、この構成によれば、てこの原理により、小さな操作力で大きな力が得られるので、ボタンの操作力を低減することができる。
また、力点部は、付勢手段で付勢された状態において、窪部から外部に突出しているため、押し操作のストローク量を筐体の厚みに関わらず増やすことができ、ボタンの操作力をより低減することができる。
【０００９】
本発明の第２態様に係るリモコン装置では、第１態様において、力点部は、前記一端部と前記ボタンの他端部との間に前記力点部の頂点部分が位置する形状である。
【００１０】
この構成によれば、他端部に力点部の頂点部分がある場合に比べて、他端部側からボタンを引き上げたり掴んだりし難くなり、悪戯を抑制できる。また、この構成によれば、他端部に力点部の頂点部分がある場合に比べて、押し操作の際に、使用者の指が他端部の先にある筐体（の枠）に当たることを抑制することができる。
【００１１】
本発明の第３態様に係るリモコン装置では、第２態様において、前記ボタンを第Ａボタンとしたとき、前記筐体には、前記第Ａボタンの前記他端部と対向し、前記付勢手段とは別の付勢手段で付勢された第Ｂボタンが設けられている。
【００１２】
この構成によれば、第Ａボタンの付勢手段と、第Ｂボタンの付勢手段とが別の付勢手段であるため、一方のボタンが押し操作されても、他方のボタンも引っ張られることが抑制される。また、第２態様の構成により、第Ａボタンが押し操作されても、第Ｂボタンに当たることが抑制される。
【００１３】
本発明の第４態様に係るリモコン装置では、第１態様乃至第３態様の何れか１つの態様において、前記ボタンは、板状であり、前記ボタンの板厚面は、前記支点部側が前記窪部内にあり前記力点部側が前記支点部側から湾曲している。
【００１４】
この構成によれば、ボタンの板厚面は、力点部側は支点部側から湾曲して外部に突出しているものの、支点部側は窪部内にあるので、リモコン装置全体の厚みを薄くすることができる。また、ボタンの板厚面は、力点部側が支点部側から湾曲しているため、例えば支点部と力点部との間等に角がある場合に比べて、使用者に対して押し操作をし易くさせることができる。
【００１５】
本発明の第５態様に係るリモコン装置では、第４態様において、力点部における板厚面のうち表面は、前記力点部の頂点部分に向かって傾斜する第１の表面と、前記頂点部分から前記筐体に向かって傾斜する第２の表面とを有し、前記第１の表面は、前記第２の表面よりも前記筐体の表面に対する傾斜角度が小さい。
【００１６】
この構成によれば、第１の表面が第２の表面よりも筐体の表面に対する傾斜角度が小さい、すなわち、第１の表面が緩やかな傾斜となるので、第１の表面が押し操作する部分であると使用者に認識させることができると共に、第１の表面を押し操作する使用者に対してその押し操作をし易くすることができる。
【００１７】
本発明の第６態様に係るリモコン装置では、第４態様又は第５態様において、前記ボタンは、正面視が四角形状であり、前記ボタンの板厚面のうち表面は、前記力点部側から前記支点部側に向かう方向と垂直な方向においても少なくとも当該方向の両端部が湾曲している。
【００１８】
この構成によれば、両端部を掴み難くすることができるため、悪戯を抑制できる。
【００１９】
本発明の第７態様に係るリモコン装置では、第４態様乃至第６態様の何れか１つの態様において、前記窪部の底面には、第１の底面と前記第１の底面より深い第２の底面とが形成され、前記第１の底面が前記支点部側の前記板厚面と対向する一方で、前記第２の底面が前記力点部側の前記板厚面と対向する。
【００２０】
この構成によれば、力点部側の板厚面と対向する第２の底面が第１の底面より深いことでストローク量を増やすことができると共に、押し操作された際の力点部を窪部内に収めることが可能になる。この結果、押し操作の終了を使用者に視覚的に通知することができる。
【発明の効果】
【００２１】
本発明のリモコン装置によれば、パネル部全体を移動させる場合に比べて、操作力を低減することができる。
【図面の簡単な説明】
【００２２】
【図１】第１実施形態に係るトイレ装置用のリモコン装置を表す模式的斜視図である。
【図２】第１実施形態にかかるリモコン装置を表す模式的平面図である。
【図３】第１実施形態にかかるリモコン装置を表す模式図である。
【図４】第１実施形態に係るリモコン装置を表すブロック図である。
【図５】第１実施形態にかかるリモコン装置の具体例を表す模式的斜視図である。
【図６】第１実施形態の具体例のリモコン装置を表す模式的分解図である。
【図７】第１実施形態の具体例のリモコン装置を表す他の模式的分解図である。
【図８】第１実施形態の具体例の伝達機構の動作を説明する模式的平面図である。
【図９】図８（ａ）に表した領域ＡＲ１を拡大した模式的拡大図である。
【図１０】第１実施形態の具体例の伝達機構を保持したベースを表す模式的斜視図である。
【図１１】第１実施形態の具体例の伝達機構を分解して表した模式的分解図である。
【図１２】操作ボタンおよびメイン回転カムの動作を説明する模式的斜視図である。
【図１３】メイン回転カムおよびメインリンクの動作を説明する模式的斜視図である。
【図１４】第１実施形態の具体例のメイン回転カムを表す模式的分解図である。
【図１５】サブ回転カムおよびサブリンクの動作を説明する模式的斜視図である。
【図１６】第１実施形態の具体例のメイン回転カムを表す模式図である。
【図１７】第１実施形態の具体例のサブリンクを表す模式的斜視図である。
【図１８】第１実施形態の具体例の連結アームを表す模式的斜視図である。
【図１９】第１実施形態の具体例の検出部を説明する模式図である。
【図２０】図１９（ａ）に表した矢印ＡＷ４１の方向に眺めた模式的平面図である。
【図２１】第１実施形態の具体例の検出部を説明する模式的分解図である。
【図２２】一部の操作ボタンを外した第１のケースの斜視図である。
【図２３】配置部に配置される第４のボタンの斜視図である。
【図２４】図２３とは異なる方向から見た第４のボタンの斜視図である。
【図２５】第４のボタンの力点部が押し操作された状態を示す第１のケースの断面図である。
【図２６】第２実施形態に係るリモコン装置の正面図である。
【図２７】操作ボタンの変形例を示す図である。
【図２８】操作ボタンの他の変形例を示す図である。
【発明を実施するための形態】
【００２３】
以下、本発明の実施の形態（以下、「実施形態」と称す。）について図面を参照しつつ説明する。なお、各図面中、同様の構成要素には同一の符号を付して詳細な説明は適宜省略する。
【００２４】
実施形態に係るリモコン装置は、４空間内にある水回り機器に使用される。以下では、衛生洗浄装置としてのトイレ装置用のリモコン装置を例に挙げ説明する。つまり、リモコン装置により遠隔操作される水回り機器がトイレ装置である場合を例に挙げ説明する。但し、本発明の実施の形態にかかるリモコン装置は、トイレ装置用のリモコン装置には限定されない。
【００２５】
＜第１実施形態＞
まず、実施形態の一例として第１実施形態に係るリモコン装置について説明する。
【００２６】
図１は、第１実施形態に係るトイレ装置用のリモコン装置を表す模式的斜視図である。
【００２７】
図１に表したように、第１実施形態にかかるトイレ装置用のリモコン装置（以下、単に「リモコン装置」と称する）２００は、例えばトイレ室の壁面１０に設置され、トイレ装置１００とともに用いられる。リモコン装置２００は、少なくとも１つの操作ボタン２１０を有する。操作ボタン２１０は、例えば、押し（押圧）操作が可能な、いわゆる押しボタンである。操作ボタン２１０は、定常位置と最下点（最深点）位置とに移動可能であり、押し操作に応じて定常位置から最下点位置に移動する。また、操作ボタン２１０は、付勢手段としてのバネ３３６（例えば図９および図１１など参照）などにより、操作されていない状態において定常位置に保持される。操作ボタン２１０は、押し操作によって最下点位置に移動した後、押し操作の解除によって定常位置に戻る。
【００２８】
第１実施形態は、操作ボタンとその周辺に主に特徴を有するが、その説明は、以下のリモコン装置の概要及び具体例の説明の後に記載する。
【００２９】
――リモコン装置の概要――
リモコン装置２００は、操作ボタン２１０の操作を検出し、操作された操作ボタン２１０に応じた無線信号をトイレ装置１００に送信する。なお、この送信は、周囲に発信しているのであって、無線信号にトイレ装置１００の宛先は入っていない。但し、無線信号に上記宛先が含まれてもよい。トイレ装置１００は、リモコン装置２００から送信された無線信号を受信し、その無線信号に応じた動作を実行する。このように、リモコン装置２００は、使用者の操作に応じて、所定の動作の実行をトイレ装置１００に指示し、トイレ装置１００を遠隔操作する。
【００３０】
トイレ装置１００は、洋式腰掛便器（以下、単に「便器」と称する）１１０と、便器１１０の上に設けられた便座ユニット１２０と、を備える。
【００３１】
便座ユニット１２０は、本体部１２２と、便座１２４と、便蓋１２６と、を有する。便座１２４と便蓋１２６とは、本体部１２２に対して開閉可能にそれぞれ軸支されている。図１は、便蓋１２６が開いた状態を表している。図１は、便座１２４が閉じた状態を表している。便蓋１２６は、閉じた状態において便座１２４の上方を覆う。なお、便蓋１２６は、必ずしも設けられていなくてもよい。
【００３２】
便座ユニット１２０は、例えば、衛生洗浄機能と、局部乾燥機能と、便座暖房機能と、を有する。衛生洗浄機能は、便座１２４に座った使用者の「おしり」などをノズル１３０により洗浄する洗浄動作を行う機能である。局部乾燥機能は、便座１２４に座った使用者の「おしり」などに温風を吹き付けることにより、衛生洗浄によって濡れた「おしり」などを乾燥させる乾燥動作を行う機能である。便座暖房機能は、便座１２４の着座面を適温に温める便座加熱動作を行う機能である。
【００３３】
便座ユニット１２０は、リモコン装置２００から送信された無線信号に基づいて、例えば衛生洗浄機能の動作を実行する。あるいは、便座ユニット１２０は、リモコン装置２００から送信された無線信号に基づいて、例えば局部乾燥機能の動作を実行する。あるいは、便座ユニット１２０は、リモコン装置２００から送信された無線信号に基づいて、例えば便座暖房機能の動作を実行する。
【００３４】
図２は、第１実施形態にかかるリモコン装置を表す模式的平面図である。図３は、第１実施形態にかかるリモコン装置を表す模式図である。図３（ａ）は、第１実施形態にかかるリモコン装置を表す模式的平面図である。図３（ｂ）は、図３（ａ）に表した切断面Ａ−Ａにおける模式的断面図である。図３（ｃ）は、第１実施形態にかかるリモコン装置の変形例を表す模式的断面図であり、図３（ａ）に表した切断面Ａ−Ａにおける模式的断面図に相当する。
【００３５】
図２および図３（ａ）に表したように、リモコン装置２００は、操作ボタン２１０と、操作ボタン２１０を支持するリモコン本体２０１と、リモコン本体２０１の内部に設けられた発電部２２０と、を備える。操作ボタン２１０は、メインボタン群２１０ｍと、サブボタン群２１０ｓと、を有する。
【００３６】
メインボタン群２１０ｍは、例えば、おしり洗浄ボタン２１１と、ビデ洗浄ボタン２１２と、乾燥ボタン２１３と、停止ボタン２１４と、を有する。
【００３７】
おしり洗浄ボタン２１１は、トイレ装置１００におしり洗浄の開始を指示するためのボタンである。ビデ洗浄ボタン２１２は、トイレ装置１００にビデ洗浄の開始を指示するためのボタンである。乾燥ボタン２１３は、トイレ装置１００に局部乾燥の開始を指示するためのボタンである。停止ボタン２１４は、トイレ装置１００に衛生洗浄機能や局部乾燥機能の停止を指示するためのボタンである。すなわち、この例においては、おしり洗浄ボタン２１１とビデ洗浄ボタン２１２とが、ノズル１３０からの吐水を行わせるための吐水ボタンである。停止ボタン２１４は、ノズル１３０からの吐水を停止させる。
【００３８】
このように、メインボタン群２１０ｍには、衛生洗浄や局部乾燥などの各種の機能の実行及び停止をトイレ装置１００に指示するための操作ボタン２１０が設けられる。
【００３９】
サブボタン群２１０ｓは、例えば、吐水流量大ボタン２１５と、吐水流量小ボタン２１６と、洗浄位置前進ボタン２１７と、洗浄位置後退ボタン２１８と、を有する。
【００４０】
吐水流量大ボタン２１５は、衛生洗浄時に噴射される洗浄水の勢いを強くする指示をトイレ装置１００に入力するためのボタンである。吐水流量小ボタン２１６は、衛生洗浄時に噴射される洗浄水の勢いを弱くする指示をトイレ装置１００に入力するためのボタンである。洗浄位置前進ボタン２１７は、洗浄位置（ノズル１３０の位置）を前進させる指示をトイレ装置１００に入力するためのボタンである。洗浄位置後退ボタン２１８は、洗浄位置を後退させる指示をトイレ装置１００に入力するためのボタンである。
【００４１】
このように、サブボタン群２１０ｓには、各種の機能の状態の変更をトイレ装置１００に指示するための操作ボタン２１０が設けられる。
【００４２】
なお、メインボタン群２１０ｍ及びサブボタン群２１０ｓに含まれるボタンは、上記に限定されるものではない。例えば、サブボタン群２１０ｓには、洗浄水や乾燥風の温度の変更をトイレ装置１００に指示するためのボタンなどが設けられてもよい。
【００４３】
発電手段としての発電部２２０は、操作ボタン２１０の押し操作に応じて発電を行う。図２および図３（ａ）に表したように、操作ボタン２１０が複数のボタンを有する場合には、発電部２２０は、操作ボタン２１０のうちのいずれかのボタンの押し操作に応じて発電を行う。発電部２２０には、例えば、モータが設けられている。発電部２２０は、操作ボタン２１０の押し操作にともなう操作力をモータの回転軸に伝達し、回転軸を回転させる。これにより、発電部２２０は、モータから交流の電力を発生させる。発電部２２０の発電方式は、モータに限ることなく、必要な電力を供給できる任意の方式でよい。また、発電部２２０から出力される電力は、直流でもよいし、脈流でもよい。
【００４４】
このように、本願明細書において「発電部」とは、運動エネルギーを受けて発電する部分、あるいは運動エネルギーを電気エネルギーに変換する部分をいう。発電部２２０の発電方式としては、例えば電磁誘導方式や圧電方式などが挙げられる。
【００４５】
発電部２２０は、本体モジュール２２１と、可動部２２２と、を有する。可動部２２２は、本体モジュール２２１から突出した突出位置と、本体モジュール２２１内に押し込まれた押し込み位置と、の間を移動する。可動部２２２は、図示を省略したバネなどにより、操作されていない状態において突出位置に保持される。可動部２２２が突出位置から押し込み位置に移動すると、発電部２２０は、可動部２２２の移動にともなう操作力により発電を行う。
【００４６】
図３（ａ）に表したように、操作ボタン２１０と発電部２２０との間には、伝達機構２３０が設けられている。伝達機構２３０は、操作ボタン２１０の押し操作にともなう操作力を発電部２２０に伝達する。これにより、操作ボタン２１０のうちのいずれのボタンを押し操作しても、押し操作に伴う操作力が発電部２２０に伝達される。これにより、発電部２２０が発電を行う。従って、リモコン装置２００では、操作ボタン２１０が複数のボタンを有する場合であっても、１つの発電部２２０で発電を行うことができる。
【００４７】
伝達機構２３０は、例えば、第１伝達部２３１と、第２伝達部２３２と、連結部材２３３と、を有する。第１伝達部２３１は、メインボタン群２１０ｍの各ボタン（図２および図３（ａ）に表した例では、おしり洗浄ボタン２１１、ビデ洗浄ボタン２１２、乾燥ボタン２１３、および停止ボタン２１４のそれぞれ）の操作力を受ける。連結部材２３３は、第１伝達部２３１と第２伝達部２３２とに接続され、第１伝達部２３１と第２伝達部２３２とを連結する。第２伝達部２３２は、第１伝達部２３１からの操作力を受ける。
【００４８】
第１伝達部２３１は、メインボタン群２１０ｍの各ボタンの操作力を連結部材２３３を介して第２伝達部２３２に伝達する。第２伝達部２３２は、連結部材２３３を介して第１伝達部２３１から受けた操作力を発電部２２０に伝達する。あるいは、第２伝達部２３２は、サブボタン群２１０ｓの各ボタン（図２および図３（ａ）に表した例では、吐水流量大ボタン２１５、吐水流量小ボタン２１６、洗浄位置前進ボタン２１７、および洗浄位置後退ボタン２１８のそれぞれ）の操作力を受け、その操作力を発電部２２０に伝達する。
【００４９】
第１伝達部２３１は、メインボタン群２１０ｍの各ボタンのそれぞれと対向する。第２伝達部２３２は、サブボタン群２１０ｓの各操作ボタン２１０のそれぞれと対向する。また、第２伝達部２３２は、長手方向において発電部２２０の可動部２２２と対向する位置に配置されている。
【００５０】
第１伝達部２３１は、図３（ａ）に表した矢印ＡＷ１ならび図３（ａ）および図３（ｂ）に表した矢印ＡＷ２のように、壁面１０と略平行な方向にスライド可能に取り付けられている。第２伝達部２３２は、図３（ａ）および図３（ｂ）に表した矢印ＡＷ３ならびに図３（ａ）に表した矢印ＡＷ４のように、壁面１０と略平行な方向にスライド可能に取り付けられている。すなわち、第１伝達部２３１及び第２伝達部２３２は、いわゆるスライドバーである。また、第１伝達部２３１及び第２伝達部２３２は、連結部材２３３によって互いに接続されている。これにより、第１伝達部２３１及び第２伝達部２３２は、互いに連動してスライド移動する。
【００５１】
メインボタン群２１０ｍの各ボタンのいずれかを押し操作すると、その操作力が第１伝達部２３１に伝わる。すると、第１伝達部２３１が図３（ａ）および図３（ｂ）に表した矢印ＡＷ２の方向（壁面１０と略平行な方向）にスライド移動する。第１伝達部２３１が図３（ａ）および図３（ｂ）に表した矢印ＡＷ２の方向にスライド移動すると、連結部材２３３は、軸２３３ａを中心として図３（ａ）に表した矢印ＡＷ５の方向に回転する。すると、第２伝達部２３２は、図３（ａ）および図３（ｂ）に表した矢印ＡＷ３の方向（壁面１０と略平行な方向）にスライド移動し、発電部２２０の可動部２２２に当接して可動部２２２を突出位置から押し込み位置に移動させる。これにより、メインボタン群２１０ｍの各ボタンの押し操作によって、発電部２２０が発電を行う。
【００５２】
サブボタン群２１０ｓの各ボタンのいずれかを押し操作すると、その操作力が第２伝達部２３２に伝わる。すると、第２伝達部２３２が図３（ａ）および図３（ｂ）に表した矢印ＡＷ３の方向にスライド移動する。第２伝達部２３２は、図３（ａ）および図３（ｂ）に表した矢印ＡＷ３の方向にスライド移動すると、発電部２２０の可動部２２２に当接し、可動部２２２を突出位置から押し込み位置に移動させる。これにより、サブボタン群２１０ｓの各ボタンの押し操作によって、発電部２２０が発電を行う。
【００５３】
リモコン装置２００は、クリック機構２２８をさらに備える。クリック機構２２８は、押し操作された操作ボタン２１０にクリック感を付与する。
【００５４】
図２および図３（ａ）に表したリモコン装置２００において、クリック機構２２８は、発電部２２０に設けられている。発電部２２０では、例えば、バネなどの弾性力に対抗して可動部２２２を押し込むと、可動部２２２に係合した連動部材が移動する。そして、可動部２２２が押し込み位置まで移動すると、クリック機構２２８により、連動部材と可動部２２２との係合状態が一時的に解除され、連動部材が弾性力によって初期位置に戻る。この時に、操作ボタン２１０の操作力が弱まり、使用者にクリック感として伝わる。
【００５５】
また、連動部材は、ギヤなどを介してモータの回転軸に連結されており、連動部材が初期位置に戻る際の勢いで回転軸が回転し、発電が行われる。発電部２２０では、操作ボタン２１０を押し操作し、可動部２２２を押し込み位置に移動させることによって発電が行われる。そして、発電部２２０が発電する時に、押し操作された操作ボタン２１０にクリック感が付与される。この構成では、例えば、使用者の押し操作の速度などに依存せず、連動部材に加える弾性力によって発電量を制御することができる。これにより、例えば、操作毎の発電量のバラツキを抑制することができる。発電部２２０において、安定した発電量を得ることができる。
【００５６】
この例において、クリック機構２２８は、発電部２２０の発電機構の一部を兼ねている。クリック機構２２８は、必ずしも発電部２２０に設ける必要はなく、発電部２２０と別に設けてもよい。
【００５７】
ここで、発電部２２０の可動部２２２が押し込み位置に移動すると、比較的大きい音が発生することがある。例えば、クリック機構２２８により、連動部材と可動部２２２との係合状態が一時的に解除され、連動部材が弾性力によって初期位置に戻ると、比較的大きい音が発生することある。
【００５８】
一般的に、リモコン装置２００は、使用者が便座１２４に着座した状態で操作ボタン２１０を操作しやすいように、トイレ室の壁面１０に設置される。そのため、図３（ｂ）に表した矢印ＡＷ６のように、操作ボタン２１０の押し操作の方向（押圧方向）は、壁面１０に対して略垂直である。言い換えれば、操作ボタン２１０は、押し操作の方向が壁面１０に対して略垂直となるボタンを有する。あるいは、図３（ｃ）に表した矢印ＡＷ７および矢印ＡＷ７ｈのように、操作ボタン２１０の押し操作の方向は、壁面１０に対して略垂直な成分を有する。言い換えれば、操作ボタン２１０は、押し操作の方向が壁面１０に対して略垂直な成分を有するようなボタンを有する。
【００５９】
このように、操作ボタンの押し操作の方向が壁面に対して略垂直な成分を有すると、発電部の可動部が押し込み位置に移動したときに生ずる音が、例えば連続して設置された複数のトイレ室のうちの隣のトイレ室に壁面を介して伝わることがある。すると、隣のトイレ室の使用者は、リモコン装置を操作していないにもかかわらずリモコン装置が勝手に操作されたと勘違いをするおそれがある。あるいは、隣のトイレ室の使用者は、トイレ室の壁面を介して伝わった発電部の音を不快に感ずるおそれがある。あるいは、隣のトイレ室の使用者は、リモコン装置が故障したと勘違いをするおそれがある。
【００６０】
これに対して、図３（ｂ）および図３（ｃ）に表した矢印ＡＷ３のように、第１実施形態にかかるリモコン装置２００では、リモコン装置２００がトイレ室の壁面１０に設置された状態において発電部２２０の可動部２２２が押し込まれる方向は、壁面１０と略平行である。言い換えれば、リモコン装置２００がトイレ室の壁面１０に設置された状態において発電部２２０の可動部２２２の押圧方向は、壁面１０と略平行である。
【００６１】
第１実施形態によれば、発電部２２０の可動部２２２が壁面１０と略平行な方向に押し込まれるため、発電部２２０の可動部２２２が押し込み位置に移動したときに生ずる音は、壁面１０と略平行に伝わりやすい。そのため、発電部２２０の可動部２２２が押し込まれるエネルギーは、壁面１０には伝わりにくい。これにより、リモコン装置２００から壁面１０へ伝わる振動を抑制することができる。また、リモコン装置２００から壁面１０へ伝わる音を抑制することができる。
【００６２】
第１実施形態では、第１伝達部２３１および第２伝達部２３２は、操作ボタン２１０の押し操作に応じて壁面１０と略平行な方向に移動する。第２伝達部２３２は、発電部２２０の可動部２２２を押し込む。これにより、比較的簡単な構成で発電部２２０の可動部２２２を押し込むことができる。
【００６３】
第１実施形態では、操作ボタン２１０の押し操作の方向は、壁面１０に対して略垂直な成分を有する。そのため、一般的なリモコン装置の操作方法と変わらない方法で、発電部２２０の可動部２２２を押し込むことができる。
【００６４】
第１実施形態の連結部材２３３は、操作ボタン２１０の押し操作に応じて回転動作を行い、第１伝達部２３１および第２伝達部２３２をスライド移動させる。これにより、連結部材２３３は、比較的狭い範囲であっても、第１伝達部２３１および第２伝達部２３２を移動させることができる。これにより、リモコン装置２００の小型化を図ることができる。
【００６５】
第１実施形態のリモコン装置２００について、図面を参照しつつさらに説明する。
【００６６】
図４は、第１実施形態に係るリモコン装置を表すブロック図である。
図４に表したように、リモコン装置２００は、操作ボタン２１０と、複数の検出部２４１と、伝達機構２３０と、発電部２２０と、電源部２４３と、制御部２５０と、を備える。操作ボタン２１０と、伝達機構２３０と、発電部２２０と、については、図２〜図３（ｃ）に関して前述した通りである。
【００６７】
複数の検出部２４１は、操作ボタン２１０が有する複数のボタンのそれぞれに対応して設けられる。複数の検出部２４１のそれぞれは、複数のボタンのそれぞれの押し操作を検出する。各検出部２４１には、例えば、ホール素子が用いられる。各検出部２４１は、例えば、機械式のスイッチなどでもよい。検出部２４１の具体例については、後述する。
【００６８】
制御部２５０は、複数の検出部２４１のそれぞれと電気的に接続されている。制御部２５０は、複数の検出部２４１のそれぞれの検出結果に基づいて、押し操作された操作ボタン２１０を判別する。そして、制御部２５０は、判別した操作ボタン２１０に対応した無線信号をトイレ装置１００に送信することにより、トイレ装置１００を遠隔操作する。
【００６９】
制御部２５０は、例えば、おしり洗浄ボタン２１１の押し操作を判別した場合、おしり洗浄の開始を指示する無線信号をトイレ装置１００に送信する。トイレ装置１００は、リモコン装置２００からの無線信号を受信し、その無線信号に対応した処理を実行する。トイレ装置１００は、例えば、おしり洗浄の開始を指示する無線信号の受信に応じて、ノズル１３０をボウル部内に進出させ、ノズル１３０からの吐水を開始する。
【００７０】
制御部２５０は、例えば、同じ無線信号をトイレ装置１００に複数回送信する。制御部２５０は、例えば、同じ無線信号をトイレ装置１００に３回送信する。これにより、例えば、リモコン装置２００とトイレ装置１００との間の通信ミスを抑制することができる。
【００７１】
制御部２５０は、例えば、マイコン２５１と、高周波発生回路２５３と、送信部２５５と、を有する。マイコン２５１は、例えば、押し操作された操作ボタン２１０の判別、及び、判別した操作ボタン２１０に対応する信号の生成を行う。高周波発生回路２５３は、例えば、マイコン２５１の生成した信号を高周波信号に変換する。高周波発生回路２５３は、例えば、２．４ＧＨｚの高周波信号を生成する。送信部２５５は、例えば、アンテナを含み、高周波発生回路２５３の生成した高周波信号を無線信号に変換してトイレ装置１００に送信する。
【００７２】
制御部２５０は、２．４ＧＨｚの無線信号をトイレ装置１００に送信する。２．４ＧＨｚ帯を用いた無線通信では、例えば、赤外線通信の場合のように、電波の透過窓（いわゆる黒窓）をリモコン本体２０１に設ける必要がない。これにより、例えば、リモコン装置２００の意匠性を高めることができる。また、２．４ＧＨｚ帯を用いた無線通信では、赤外線通信に比べて障害物の影響が小さい。これにより、トイレ装置１００との間の通信品質を高めることもできる。
【００７３】
なお、マイコン２５１、高周波発生回路２５３及び送信部２５５は、１つのチップ内に納めてもよいし、異なる素子として分けてもよい。リモコン装置２００とトイレ装置１００との間の通信は、上記に限ることなく、任意でよい。制御部２５０の構成は、上記に限ることなく、操作ボタン２１０の判別やトイレ装置１００との無線通信などが可能な任意の構成でよい。
【００７４】
電源部２４３は、発電部２２０によって発電された電力を蓄積する蓄電素子２４５を有する。電源部２４３は、蓄電素子２４５の電圧が所定値以上になった際に、蓄電素子２４５に蓄積された電力を制御部２５０に供給して制御部２５０を起動させる。蓄電素子２４５には、例えば、コンデンサや蓄電池などが用いられる。
【００７５】
ここで、「蓄電素子２４５の電圧が所定値以上になった際」とは、例えば、制御部２５０の起動及び無線信号の送信に必要な電力が蓄電素子２４５に蓄積された際である。制御部２５０が無線信号を複数回送信する場合には、制御部２５０の起動及び無線信号の複数回の送信に必要な電力が蓄電素子２４５に蓄積された際である。このように、蓄電素子２４５の電圧の前記所定値は、制御部２５０での消費電力に応じて設定される。所定値は、例えば、３．５部位である。「蓄電素子２４５の電圧が所定値以上になった際」とは、換言すれば、発電部２２０の発電の積算量が所定値以上になった際である。
【００７６】
また、蓄電素子２４５の容量は、例えば、制御部２５０の起動及び無線信号の送信に必要な電力を蓄積できる最低限の容量に設定される。これにより、例えば、蓄電素子２４５の大型化を抑制できる。また、蓄電素子２４５に残った余剰の電力によって、制御部２５０が誤動作を起こすことなどを抑制できる。
【００７７】
――リモコン装置の具体例――
次に、第１実施形態にかかるリモコン装置の具体例について、図面を参照しつつ説明する。
【００７８】
図５は、第１実施形態にかかるリモコン装置の具体例を表す模式的斜視図である。図６は、本具体例のリモコン装置を表す模式的分解図である。図７は、本具体例のリモコン装置を表す他の模式的分解図である。
【００７９】
図６及び図７に表したように、本具体例のリモコン装置３００は、筐体としての第１のケース（リモコン本体）３０１と、第２のケース（リモコン本体）３０２と、ベース３０４と、基板３０６と、操作ボタン３１０と、発電部３２０と、伝達機構（リンク機構）３３０と、を備える。
【００８０】
操作ボタン３１０は、複数のボタンを有する。図５に表したように、本具体例の操作ボタン３１０は、第１のボタン３１１と、第２のボタン３１２と、第３のボタン３１３と、第４のボタン３１４と、第５のボタン３１５と、第６のボタン３１６と、第７のボタン３１７と、第８のボタン３１８と、第９のボタン３１９と、を有する。操作ボタン３１０が有するボタンの数は、これだけには限定されない。例えば、第１のボタン３１１は、図２〜図３（ｃ）に関して前述したおしり洗浄ボタン２１１に相当する。例えば、第２のボタン３１２は、図２〜図３（ｃ）に関して前述したビデ洗浄ボタン２１２に相当する。
【００８１】
操作ボタン３１０は、第１のケース３０１に設けられ、押動部３１０ａを有する。図７に表したように、第４のボタン３１４は、押動部３１４ａを有する。第９のボタン３１９は、押動部３１９ａを有する。
【００８２】
発電部３２０は、ベース３０４に設けられ、本体モジュール３２１と、可動部３２２と、を有する。本具体例の発電部３２０は、図２〜図３（ｃ）に関して前述した発電部２２０と同様である。
【００８３】
伝達機構３３０は、ベース３０４において、操作ボタン３１０と発電部３２０との間に設けられている。伝達機構３３０は、メインリンク３３１と、サブリンク３３２と、連結アーム３３３と、メイン回転カム（受け部）３３４と、サブ回転カム（受け部）３３５と、を有する。伝達機構３３０は、操作ボタン３１０の押し操作にともなう操作力を発電部３２０に伝達する。メインリンク３３１は、図２〜図３（ｃ）に関して前述した第１伝達部２３１に相当する。サブリンク３３２は、図２〜図３（ｃ）に関して前述した第２伝達部２３２に相当する。連結アーム３３３は、図２〜図３（ｃ）に関して前述した連結部材２３３に相当する。
【００８４】
基板３０６は、ベース３０４に固定されている。図４に関して前述した電源部２４３および制御部２５０は、基板３０６に設けられている。ベース３０４は、発電部３２０と、伝達機構３３０と、基板３０６と、を保持した状態で第２のケース３０２に固定されている。つまり、発電部３２０、伝達機構３３０、および基板３０６は、ベース３０４を介して第２のケース３０２に固定されている。発電部３２０、伝達機構３３０、および基板３０６は、第２のケース３０２に直接的には固定されていない。ベース３０４は、第１のケース３０１と第２のケース３０２との間に設けられている。言い換えれば、ベース３０４は、リモコン本体２０１の内部に設けられている。第１のケース３０１および第２のケース３０２は、図２〜図３（ｃ）に関して前述したリモコン本体２０１に相当する。
【００８５】
本具体例のリモコン装置３００は、ハンガ３０９によりトイレ室の壁面１０（例えば図１参照）に設置されている。ハンガ３０９は、例えば金属により形成されている。なお、本具体例のリモコン装置３００は、ハンガ３０９を介さずに直接的にトイレ室の壁面１０に設置されていてもよい。本具体例によれば、発電部３２０が第２のケース３０２には固定されずベース３０４に固定されているため、リモコン装置２００から壁面１０へ伝わる振動や音をより抑制することができる。
【００８６】
図８は、本具体例の伝達機構の動作を説明する模式的平面図である。図９は、図８（ａ）に表した領域ＡＲ１を拡大した模式的拡大図である。図８（ａ）は、操作ボタンの押し操作が行われる前の伝達機構の状態を表す模式的平面図である。図８（ｂ）は、操作ボタンの押し操作が行われた後の伝達機構の状態を表す模式的平面図である。なお、図８（ａ）および図８（ｂ）では、説明の便宜上、第１のケース３０１および操作ボタン３１０を省略している。
【００８７】
図８（ａ）に表したように、操作ボタン３１０の押し操作が行われる前では、可動部３２２は、本体モジュール３２１から突出した突出位置にある。このとき、操作ボタン３１０の各ボタンは、オフ状態である。また、発電部３２０は、発電を行わない。
【００８８】
図９に表したように、軸３３４ａの周囲には、バネ３３６が設けられている。例えば、バネ３３６としては、ねじりコイルばねなどが挙げられる。メイン回転カム３３４は、バネ３３６の弾性力を受けつつ、軸３３４ａを中心として回転することができる。メイン回転カム３３４は、操作ボタン３１０の押し操作が行われる前では、バネ３３６により図９に表した定常位置に保持される。サブ回転カム３３５の構造は、メイン回転カム３３４の構造と同様である。
【００８９】
続いて、例えば使用者などが操作ボタン３１０の第１のボタン３１１を押し操作する場合を例に挙げ説明する。
【００９０】
例えば使用者などが第１のボタン３１１を押し操作すると、その操作力が操作ボタン３１０の押動部３１０ａ（図７参照）からメイン回転カム３３４に伝わる。すると、メイン回転カム３３４は、操作力を受け、バネ３３６の弾性力に対抗しつつ軸３３４ａを中心として図９に表した矢印ＡＷ１１の方向に回転する。メイン回転カム３３４は、図９に表した矢印ＡＷ１１の方向に回転すると、メインリンク３３１を図９および図８（ｂ）に表した矢印ＡＷ１２の方向へ押す。これにより、メインリンク３３１は、図９および図８（ｂ）に表した矢印ＡＷ１２の方向（壁面１０と略平行な方向）に移動する。
【００９１】
メインリンク３３１およびサブリンク３３２は、連結アーム３３３によって互いに接続されている。これにより、メインリンク３３１およびサブリンク３３２は、互いに連動して移動する。そのため、メインリンク３３１が図９および図８（ｂ）に表した矢印ＡＷ１２の方向に移動すると、連結アーム３３３は、軸３３３ｄを中心として図８（ｂ）に表した矢印ＡＷ１３の方向に回転する。すると、サブリンク３３２は、図８（ｂ）に表した矢印ＡＷ１４の方向（壁面１０と略平行な方向）に移動する。
【００９２】
サブリンク３３２は、図８（ｂ）に表した矢印ＡＷ１４の方向に移動し、発電部３２０の可動部３２２を突出位置から押し込み位置に移動させる。このとき、発電部３２０の可動部３２２が押し込まれる方向は、壁面１０と略平行である。言い換えれば、リモコン装置３００がトイレ室の壁面１０に設置された状態において発電部３２０の可動部３２２の押圧方向は、壁面１０と略平行である。これにより、第１のボタン３１１の押し操作によって、発電部３２０が発電を行う。なお、第２のボタン３１２、第３のボタン３１３、および第４のボタン３１４の押し操作によっても、伝達機構３３０の同様の動作に基づいて、発電部３２０が発電を行う。
【００９３】
次に、例えば使用者などが操作ボタン３１０の第５のボタン３１５を押し操作する場合を例に挙げ説明する。
【００９４】
操作ボタン３１０の押し操作が行われる前の状態は、図８（ａ）に関して前述した通りである。
【００９５】
例えば使用者などが第５のボタン３１５を押し操作すると、その操作力が操作ボタン３１０の押動部３１０ａからサブ回転カム３３５に伝わる。すると、サブ回転カム３３５は、操作力を受け、バネ３３６の弾性力に対抗しつつ軸３３５ａを中心として図８（ｂ）に表した矢印ＡＷ１５の方向に回転する。サブ回転カム３３５は、図８（ｂ）に表した矢印ＡＷ１５の方向に回転すると、サブリンク３３２を図８（ｂ）に表した矢印ＡＷ１４の方向へ押す。これにより、サブリンク３３２は、図８（ｂ）に表した矢印ＡＷ１４の方向に移動する。
【００９６】
サブリンク３３２は、図８（ｂ）に表した矢印ＡＷ１４の方向に移動し、発電部３２０の可動部３２２を突出位置から押し込み位置に移動させる。これにより、第５のボタン３１５の押し操作によって、発電部３２０が発電を行う。なお、第６のボタン３１６、第７のボタン３１７、第８のボタン３１８、および第９のボタン３１９の押し操作によっても、伝達機構３３０の同様の動作に基づいて、発電部３２０が発電を行う。
【００９７】
本具体例の伝達機構３３０について、図面を参照しつつさらに説明する。
【００９８】
図１０は、本具体例の伝達機構を保持したベースを表す模式的斜視図である。図１１は、本具体例の伝達機構を分解して表した模式的分解図である。図１２は、操作ボタンおよびメイン回転カムの動作を説明する模式的斜視図である。図１３は、メイン回転カムおよびメインリンクの動作を説明する模式的斜視図である。図１４は、本具体例のメイン回転カムを表す模式的分解図である。
【００９９】
図１２（ａ）は、操作ボタンの押し操作が行われる前の状態を表す模式的斜視図である。図１２（ｂ）は、操作ボタンの押し操作が行われた後の状態を表す模式的斜視図である。図１３（ａ）および図１３（ｂ）は、操作ボタンの押し操作が行われた後の状態を表す模式的斜視図である。図１３（ｂ）では、説明の便宜上、メインリンク３３１を省略している。
【０１００】
図１０および図１１に表したように、本具体例の伝達機構３３０は、メインリンク３３１と、サブリンク３３２と、連結アーム３３３と、メイン回転カム３３４と、サブ回転カム３３５と、を有する。図１１に表したように、メイン回転カム３３４には、ベース３０４に設けられた軸３３４ａが挿入されている。これにより、メイン回転カム３３４は、軸３３４ａを中心として回転することができる。サブ回転カム３３５には、ベース３０４に設けられた軸３３５ａが挿入されている。これにより、サブ回転カム３３５は、軸３３５ａを中心として回転することができる。
【０１０１】
軸３３４ａの周囲には、バネ３３６が設けられている。メイン回転カム３３４は、操作ボタン３１０の押し操作が行われる前では、バネ３３６により図１０に表した定常位置に保持される。軸３３５ａの周囲には、バネ３３６が設けられている。サブ回転カム３３５は、操作ボタン３１０の押し操作が行われる前では、バネ３３６により図１０に表した定常位置に保持される。
【０１０２】
図１１に表したように、連結アーム３３３は、第１の突起部３３３ａと、第２の突起部３３３ｂと、を有する。第１の突起部３３３ａは、メインリンク３３１と係合している。第２の突起部３３３ｂは、サブリンク３３２と係合している。これにより、メインリンク３３１およびサブリンク３３２は、連結アーム３３３によって互いに接続されている。
【０１０３】
ここでは、例えば使用者などが操作ボタン３１０の第１のボタン３１１を押し操作する場合を例に挙げ説明する。図１２（ａ）に表したように、第１のボタン３１１の押し操作が行われる前では、第１のボタン３１１の押動部３１１ａは、メイン回転カム３３４の受け面３３４ｂの上に存在する。
【０１０４】
続いて、図１２（ｂ）に表した矢印ＡＷ２１のように、例えば使用者などが第１のボタン３１１を押し操作すると、第１のボタン３１１の押動部３１１ａは、メイン回転カム３３４の受け面３３４ｂを図１２（ｂ）に表した矢印ＡＷ２１の方向へ押す。図１２（ｂ）および図１３（ａ）に表したように、メイン回転カム３３４の受け面３３４ｂは、操作ボタン３１０の押し操作の方向（矢印ＡＷ２１の方向）に対して傾斜している。そのため、メイン回転カム３３４は、図１２（ｂ）に表した矢印ＡＷ２２の方向および図１３（ａ）に表した矢印ＡＷ２３の方向に軸３３４ａを中心として回転する。
【０１０５】
すると、図１３（ａ）に表したように、メイン回転カム３３４は、メインリンク３３１の内面３３１ａを図１３（ａ）に表した矢印ＡＷ２４の方向へ押す。これにより、メインリンク３３１は、図１３（ａ）に表した矢印ＡＷ２４の方向（壁面１０と略平行な方向）に移動する。このように、第１のボタン３１１の押動部３１１ａは、メイン回転カム３３４の受け面３３４ｂを押すことでメインリンク３３１をスムーズに移動させることができる。
【０１０６】
図１３（ｂ）および図１４に表したように、磁石３４１がメイン回転カム３３４に保持されている。より具体的には、図１４に表したように、メイン回転カム３３４は、凹部３３４ｃを有する。磁石３４１は、メイン回転カム３３４の凹部３３４ｃに保持されている。磁石３４１は、本具体例の検出部３４０が有する部材のひとつである。本具体例の検出部３４０の詳細については、後述する。
【０１０７】
図１５は、サブ回転カムおよびサブリンクの動作を説明する模式的斜視図である。
【０１０８】
ここでは、例えば使用者などが操作ボタン３１０の第５ボタン３１５を押し操作する場合を例に挙げ説明する。第５のボタン３１５の押し操作が行われる前では、第５のボタン３１５の押動部３１５ａは、サブ回転カム３３５の受け面３３５ｂの上に存在する。
【０１０９】
続いて、図１５に表した矢印ＡＷ２５のように、例えば使用者などが第５のボタン３１５を押し操作すると、第５のボタン３１５の押動部３１５ａは、サブ回転カム３３５の受け面３３５ｂを押す。図１５に表したように、サブ回転カム３３５の受け面３３５ｂは、操作ボタン３１０の押し操作の方向（矢印ＡＷ２５の方向）に対して傾斜している。そのため、サブ回転カム３３５は、図１５に表した矢印ＡＷ２６の方向に軸３３５ａを中心として回転する。
【０１１０】
すると、サブ回転カム３３５は、サブリンク３３２の内面３３２ａを図１５に表した矢印ＡＷ２７の方向へ押す。これにより、サブリンク３３２は、図１５に表した矢印ＡＷ２７の方向（壁面１０と略平行な方向）に移動する。このように、第５のボタン３１５の押動部３１５ａは、サブ回転カム３３５の受け面３３５ｂを押すことでサブリンク３３２をスムーズに移動させることができる。
【０１１１】
図１５に表した矢印ＡＷ２８のように、サブリンク３３２は、図１５に表した矢印ＡＷ２７の方向に移動すると、発電部３２０の可動部３２２を突出位置から押し込み位置に移動させる。
【０１１２】
次に、本具体例の伝達機構３３０が有する部材の詳細について、図面を参照しつつ説明する。
【０１１３】
図１６は、本具体例のメイン回転カムを表す模式図である。図１６（ａ）は、本具体例のメイン回転カムを表す模式的斜視図である。図１６（ｂ）は、図１６（ａ）に表した矢印ＡＷ３１の方向にみたときのメイン回転カムを表す模式的平面図である。
【０１１４】
本具体例のメイン回転カム３３４は、受け面３３４ｂと、ラウンド部３３４ｅと、凸部３３４ｆと、を有する。受け面３３４ｂは、操作ボタン３１０の押し操作の方向（図１２（ｂ）および図１６（ｂ）に表した矢印ＡＷ２１参照）に対して傾斜している。これにより、操作ボタン２１０の押し操作にともなう操作力を、壁面１０に対して略垂直な方向から壁面１０と略平行な方向に変換することができる。ラウンド部３３４ｅは、メインリンク３３１の内面３３１ａを押す。ラウンド部３３４ｅは、湾曲形状を有するため、メイン回転カム３３４の回転角度によらず安定的にメインリンク３３１の内面３３１ａを押すことができる。凸部３３４ｆには、バネ３３６が引っ掛けられる。
【０１１５】
本具体例のメイン回転カム３３４は、凹部３３４ｃと、穴３３４ｄと、を有する。凹部３３４ｃには、磁石３４１が保持される。穴３３４ｄには、ベース３０４に設けられた軸３３４ａが挿入される。なお、サブ回転カム３３５の構造は、メイン回転カム３３４の構造と同様である。
【０１１６】
図１７は、本具体例のサブリンクを表す模式的斜視図である。
【０１１７】
図１７（ａ）は、サブリンクがベースに取り付けられた状態においてベースの側から眺めた模式的斜視図である。図１７（ｂ）は、サブリンクがベースに取り付けられた状態においてベースとは反対の側（第１のケース３０１の側）から眺めた模式的斜視図である。
【０１１８】
本具体例のサブリンク３３２は、内面３３２ａを有する。サブ回転カム３３５が回転しサブリンク３３２の内面３３２ａを押すことで、サブリンク３３２は、壁面１０と略平行な方向に移動する。
【０１１９】
本具体例のサブリンク３３２は、溝部３３２ｂを有する。溝部３３２ｂには、連結アーム３３３の第２の突起部３３３ｂ（図１１参照）が挿入される。つまり、連結アーム３３３の第２の突起部３３３ｂは、溝部３３２ｂに挿入され、サブリンク３３２と係合する。なお、メインリンク３３１の構造は、サブリンク３３２の構造と同様である。
【０１２０】
図１８は、本具体例の連結アームを表す模式的斜視図である。
【０１２１】
図１８（ａ）は、連結アームがベースに取り付けられた状態においてベースとは反対の側（第１のケース３０１の側）から眺めた模式的斜視図である。図１８（ｂ）は、連結アームがベースに取り付けられた状態においてベースの側から眺めた模式的斜視図である。
【０１２２】
本具体例の連結アーム３３３は、第１の突起部３３３ａと、第２の突起部３３３ｂと、を有する。第１の突起部３３３ａは、連結アーム３３３がベース３０４に取り付けられた状態において、メインリンク３３１へ向かって突出している。第１の突起部３３３ａは、メインリンク３３１の溝部（図示せず）に挿入される。第２の突起部３３３ｂは、連結アーム３３３がベース３０４に取り付けられた状態において、サブリンク３３２へ向かって突出している。第２の突起部３３３ｂは、サブリンク３３２の溝部３３２ｂに挿入される。
【０１２３】
本具体例の連結アーム３３３は、穴３３３ｃを有する。穴３３３ｃは、第１の突起部３３３ａと第２の突起部３３３ｂとの間に設けられている。穴３３３ｃには、ベース３０４に設けられた軸３３３ｄ（図１１参照）が挿入される。これにより、連結アーム３３３は、軸３３３ｄを中心として回転することができる。
【０１２４】
次に、本具体例の検出部について、図面を参照しつつ説明する。
【０１２５】
図１９は、本具体例の検出部を説明する模式図である。図２０は、図１９（ａ）に表した矢印ＡＷ４１の方向に眺めた模式的平面図である。図２１は、本具体例の検出部を説明する模式的分解図である。図１９（ａ）は、本具体例の検出部を説明する模式的斜視図である。図１９（ｂ）は、図１９（ａ）に表した領域ＡＲ２を拡大した模式的拡大図である。
【０１２６】
図２０および図２１に表したように、本具体例の検出部３４０は、磁石３４１と、ホール素子３４３と、を有する。本具体例の検出部３４０は、図４に関して前述した検出部２４１に相当する。図１４に関して前述したように、磁石３４１は、メイン回転カム３３４の凹部３３４ｃに保持されている。図２０および図２１に表したように、ホール素子３４３は、基板３０６に設けられている。
【０１２７】
図１２（ａ）および図１２（ｂ）に関して前述したように、例えば使用者などが操作ボタン３１０を押し操作すると、操作ボタン３１０の押動部３１０ａは、メイン回転カム３３４の受け面３３４ｂを押す。これにより、メイン回転カム３３４は、軸３３４ａを中心として回転する。
【０１２８】
磁石３４１は、メイン回転カム３３４に保持されているため、メイン回転カム３３４が回転するとメイン回転カム３３４とともに移動する。すると、磁石３４１とホール素子３４３との間の距離が変化する。これにより、操作ボタン３１０の押し操作が検出される。なお、磁石３４１およびホール素子３４３の設置位置は、本具体例には限定されない。例えば、ホール素子３４３がメイン回転カム３３４に設けられ、磁石３４１が基板３０６に設けられていてもよい。また、操作ボタン３１０の押し操作の検出方法は、本具他例には限定されない。
【０１２９】
図１９（ａ）〜図２１では、メイン回転カム３３４に設けられた磁石３４１を有する検出部３４０について説明した。磁石３４１は、サブ回転カム３３５の凹部（図示せず）にも保持されている。これにより、サブ回転カム３３５の回転とともに移動する磁石３４１と、ホール素子３４３と、の間の距離が変化することによっても、操作ボタン３１０の押し操作が検出される。
【０１３０】
――操作ボタン３１０とその周辺の説明――
次に、操作ボタン３１０とその周辺について、具体的に説明する。
【０１３１】
図２２は、一部の操作ボタン３１０を外した第１のケース３０１の斜視図である。
【０１３２】
第１のケース３０１には、４方を取り囲む枠３０１ａ内の空間を２つに分ける仕切り板３０１ｂが一方向（例えば横）に沿って設けられている。仕切り板３０１ｂにより、第１のケース３０１には、第１の窪部３０１ｃと第２の窪部３０１ｄが形成される。第１の窪部３０１ｃ及び第２の窪部３０１ｄはともに、例えば横方向に長い。
【０１３３】
第１の窪部３０１ｃには、例えば第Ａボタンとしての第１のボタン３１１〜第４のボタン３１４（第１のボタン３１１のみ図示。）までが横一列に配置される。また、第２の窪部３０１ｄには、例えば第Ｂボタンとしての第５のボタン３１５〜第９のボタン３１９（第５のボタン３１５のみ図示。）までが横一列に配置される。
【０１３４】
第１の窪部３０１ｃの底面には、第１のボタン３１１〜第４のボタン３１４の配置部３５１〜３５４が設けられている。同様に、第２の窪部３０１ｄの底面には、第５のボタン３１５〜第９のボタン３１９の配置部３５５〜３５９が設けられている。
【０１３５】
以下、配置部３５１〜３５９の構成は同じなので、配置部３５４についてのみ説明する。
【０１３６】
配置部３５４には、第１の底面３６０と、第１の底面３６０より底が深い第２の底面３６２とが形成されている。また、第１の底面３６０は、第２の底面３６２よりも大きい面積を有し、第４のボタン３１４の大部分と対向する。
【０１３７】
配置部３５４の第１の底面３６０は、例えば略平坦である。第１の底面３６０には、紙面上から順に、例えば一対の固定軸３６４と、係合孔３６６と、貫通孔３６８と、が形成されている。
【０１３８】
一対の固定軸３６４は、互いに同一軸心上にある。係合孔３６６及び貫通孔３６８は、第１のケース３０１を貫通する例えば長方形状の孔である。これらの機能については、後述する。
【０１３９】
配置部３５４の第２の底面３６２は、例えば第１の底面３６０から傾斜して底が徐々に深くなっていてもよいが、第１実施形態では、第２の底面３６２は、第１の底面３６０から急に底が深くなっている。
【０１４０】
図２３は、配置部３５４に配置される第４のボタン３１４の斜視図である。図２４は、図２３とは異なる方向から見た第４のボタン３１４の斜視図である。なお、操作ボタン３１０を構成する第１のボタン３１１〜第９のボタン３１９は、大きさが異なるものはあるものの、形状及び構成は同じであるので、第４のボタン３１４についてのみ説明する。
【０１４１】
図２３に表したように、第４のボタン３１４は、例えば板状である。第４のボタン３１４の正面視の形状は、四角形状、特に長方形状である。
【０１４２】
第４のボタン３１４は、長手方向Ｌにおいて、一端部４００と、他端部４０２とを有する。一端部４００側に設けられた第１の部位４０４と、他端部４０２側に設けられ当該第１の部位４０４と連なる第２の部位４０６とに区分けされる。例えば、第１の部位４０４は、長手方向Ｌにおいて全体の半分以上の長さを占め、第２の部位４０６は、長手方向Ｌにおいて残りの長さを占める。
【０１４３】
第１の部位４０４の板厚面のうち表面４０７は、例えば略平坦面である。この表面４０７は、リモコン装置３００全体の厚みを薄くする観点から、第４のボタン３１４が押し操作されていない状態（付勢状態）において、第１のケース３０１の枠３０１ａの先端面と略同一高さ（リモコン装置３００の厚み方向を高さ方向とする。）となっている。
【０１４４】
第１の部位４０４の板厚面のうち裏面４０８には、一端部４００寄りに支点部４１０が設けられている。
【０１４５】
図２４に表したように、支点部４１０は、例えば第４のボタン３１４と一体形成された一対の板部材４１２を備えている。
【０１４６】
一対の板部材４１２はそれぞれ、長手方向Ｌにおいて一端部４００から同じ長さのところ配置されており、短手方向Ｓにおいて互いに対向している。
【０１４７】
一対の板部材４１２はそれぞれ、例えば、裏面４０８から面外方向（第１の窪部３０１ｃ）に向かって突出している。また、板部材４１２は、長手方向Ｌに沿って延びている。
【０１４８】
一対の板部材４１２の先端部にはそれぞれ、係合孔４１４が設けられている。係合孔４１４は、例えば板部材４１２の板厚面側から見た形状が略Ｃ字形状となっている。これら係合孔４１４には、先端部側から配置部３５４の一対の軸３６４を挿入させて係合させる。これにより、支点部４１０が第１のケース３０１に回転自在に固定される。
【０１４９】
第２の部位４０６は、第１の部位４０４から湾曲して、付勢手段としての軸３３４及びバネ３３６（図１１参照。）で支点部４１０を支点として第４のボタン３１４が付勢された状態において、第１の窪部３０１ｃから外部に突出している部分である。
【０１５０】
第２の部位４０６の板厚面のうち裏面４０８には、一端部４００側において一対の爪部４１６が設けられている。一対の爪部４１６は、係合孔３６６（図２２参照。）に挿入されて引っ掛けて係合されることで、第４のボタン３１４が第１のケース３０１から抜け難くなる。
【０１５１】
図２４に戻って、第２の部位４０６の裏面４０８には、一対の爪部４１６よりも他端部４０２側において作用点部としての押動部３１０ａ（例えば押動部３１４ａ、以下「作用点部４０９」と称す。）が設けられている。作用点部４０９は、例えば短手方向Ｓ中央部に配置され、裏面４０８から第１の窪部３０１ｃに向かって突起している。作用点部４０９の形状は、例えば長手方向Ｌに沿って長い板状とされている。
【０１５２】
作用点部４０９は、第４のボタン３１４の押し操作により、支点部４１０周りに回転して、その先端が貫通孔３６８（図２２参照。）を通り抜けて、メイン回転カム３３４に当り押し操作の押し込み量（ストローク量）に応じた力を伝えて、発電部２２０に対してメイン回転カム３３４に伝えられた力を利用して発電させる。押し操作の後は、作用点部４０９は、付勢手段としての軸３３４及びバネ３３６（図１１参照。）によって再度付勢される。この結果、第４のボタン３１４は、定常位置に戻る。なお、第４のボタン３１４以外の他のボタンは、それぞれ固有の（別の）付勢手段によって付勢されている。
【０１５３】
図２３に表したように、この支点部４１０よりも、他端部４０２側の第２の部位４０６全体は、力点部４２０とされている。
【０１５４】
ここで、上述のように第１の部位４０４の表面４０７が第１のケース３０１の枠３０１ａの先端面と略同一高さで第２の部位４０６が第１の部位４０４から湾曲していることから、第４のボタン３１４の板厚面は、支点部４１０側が第１の窪部３０１ｃ内にあり力点部４２０側が支点部４１０側から湾曲する。また、支点部４１０側の板厚面は第１の底面３６０と対向する一方で、力点部側の少なくとも他端部４０２の板厚面は第二の底面３６２と対向する。
【０１５５】
力点部４２０は、付勢された状態において、第１の窪部３０１ｃから外部に突出しており押し操作されることで支点部４１０の周りを回転して作用点部４０９を作用（回転及び当接）させる部分である。
【０１５６】
力点部４２０は、例えば、一端部４００と他端部４０２との間に力点部４２０の頂点部分４２２が位置する形状である。頂点部分４２２は、押し操作された状態において、第１の窪部３０１ｃ内に入るよう、第二の底面３６２の深さを考慮して、その高さが設定されている。逆に、第二の底面３６２は、頂点部分４２２の高さを考慮して、その深さが設定されている。
【０１５７】
この力点部４２０における板厚面のうち表面は、頂点部分４２２に向かって傾斜する第１の表面４２４と、当該頂点部分４２２から第１のケース３０１に向かって傾斜する第２の表面４２４とを有する。
【０１５８】
第１の表面４２４は、例えば、第２の表面４２６よりも第１のケース３０１の表面（或いは表面４０７）に対する傾斜角度が小さい。第１の表面４２４の傾斜角度は、例えば０度超５０度以下であり、第２の表面４２６の傾斜角度は、例えば５０度超９０度未満である。
【０１５９】
また、力点部４２０から一端部４００にかけて裏面４０８の縁部からは、側面４２８が面外方向に向かって張り出している。
【０１６０】
この側面４２６と表面４２４等との間の角部は、面取りされている。言い換えれば、第４のボタン３１４の板厚面のうち表面は、力点部４２０側から支点部４１０側に向かう方向と垂直な方向（短手方向Ｓ）においても少なくとも当該方向の両端部が湾曲している。
【０１６１】
――リモコン装置３００の作用――
次に、第１実施形態に係るリモコン装置３００のリモコン装置の作用について説明する。
【０１６２】
図２５は、第４のボタン３１４の力点部４２０が押し操作された状態を示す第１のケース３０１の断面図である。なお、図２５ではハッチングを省略している。
【０１６３】
第１実施形態に係るリモコン装置３００では、発電部３２０は操作ボタンの押し操作の力（操作力）を利用した発電をするため、発電部３２０が無い場合に比べて操作ボタン３１０の押し操作に負荷が掛かる。
【０１６４】
しかしながら、図２５に表したように、第４のボタン３１４が支点部４１０と作用点部４０９と力点部４２０を備えており、紙面下にある第９のボタン３１９のような付勢状態にある時から第４のボタン３１４の力点部４２０が使用者により押し操作されると、力点部４２０が支点部４１０の周りを第１の窪部３０１ｃに向かって回転し、作用点部を作用させる（回転させる）。
【０１６５】
そして、リモコン装置３００の構成では、てこの原理を利用、すなわち力点部４２０を作用点部４０９よりも他端部側に設けて、支点部４１０と作用点部４０９との間の距離よりも支点部４１０と力点部４２０との間の距離を長くすることで、作用点部４０９が発電手段に作用させる力を操作力よりも大きくしている。したがって、リモコン装置３００の構成によれば、てこの原理により、小さな操作力で大きな力が得られるので、第４のボタン３１４の操作力を低減することができる。他のボタンの構成も、第４のボタン３１４と同じであるので、全てのボタンを含む操作ボタン３１０のそれぞれの操作力を低減することができる。
【０１６６】
また、力点部４２０は付勢された状態において、第１の窪部３０１ｃ及び第２の窪部３０１ｄを含む窪部から外部に突出しているため（例えば図２５の第９のボタン３１９参照。）、押し操作のストローク量を第１のケース３０１の厚みに関わらず増やすことができ、操作ボタン３１０の操作力をより低減することができる。また、第１のケース３０１の厚みを薄くすることができる。
【０１６７】
さらに、力点部４２０が突出しているため、視覚と触覚で押し操作の位置（力点部４２０）を使用者に対して把握させることができる。
【０１６８】
また、力点部４２０は、一端部４００と他端部４０２との間に力点部４２０の頂点部分４２２が位置する形状であるため、他端部４０２に力点部４２０の頂点部分４２２がある場合に比べて、他端部４０２側から操作ボタン３１０を引き上げたり掴んだりし難くなり、悪戯を抑制できる。また、他端部４０２に力点部４２０の頂点部分４２２がある場合に比べて、押し操作の際に、使用者の指が他端部４０２の先にある第１のケース３０１（の枠３０１ａや仕切り板３０１ｂ）に当たることを抑制することができる。
【０１６９】
また、例えば第４のボタン３１４を第Ａボタンとしたとき、筐体には、第Ａボタンの他端部４０２と対向し、付勢手段とは別の付勢手段で付勢された第Ｂボタンが設けられている。このため、第Ａボタンの付勢手段と、第Ｂボタンの付勢手段とが別の付勢手段であるため、一方のボタンが押し操作されても、他方のボタンも引っ張られることが抑制される。また、第Ａボタンが押し操作されても、第Ｂボタンに当たることが抑制される。
【０１７０】
また、操作ボタン３１０の板厚面は、力点部４２０側は支点部４１０側から湾曲して外部に突出しているものの、支点部４１０側は窪部内にあるので、リモコン装置３００全体の厚みを薄くすることができる。また、操作ボタン３１０の板厚面は、力点部４２０側が支点部３１０側から湾曲しているため、例えば支点部３１０と力点部４２０との間等に角がある場合に比べて、使用者に対して押し操作をし易くさせることができる。
【０１７１】
また、第１の表面４２４が第２の表面４２６よりも第１のケース３０１の表面（例えば底面）に対する傾斜角度が小さい、すなわち、第１の表面４２４が緩やかな傾斜となるので、第１の表面４２４が押し操作する部分であると使用者に認識させることができると共に、第１の表面４２４を押し操作する使用者に対してその押し操作をし易くすることができる。また、第２の表面４２６は、第１の表面４２４よりも傾斜角度が大きいので、操作ボタン３１０が引き剥がし難くすることができる。
また、操作ボタン３１０の板厚面が湾曲していると、ストレート形状に比べて、視覚的に使用者に対して厚み感を和らげることができる。また、使用者にもよるが、操作ボタン３１０の板厚面が湾曲していると、ストレート形状に比べて、使用者に対して操作ボタン３１０を押し易くすることができる。
【０１７２】
また、操作ボタン３１０の板厚面のうち表面は、力点部４２０側から支点部３１０側に向かう方向と垂直な方向においても少なくとも当該方向の両端部が湾曲しているため、その両端部を掴み難くすることができるので、悪戯を抑制できる。
【０１７３】
また、力点部４２０側の板厚面（特に先端）と対向する第２の底面３６２が第１の底面３６０より深いことでストローク量を増やすことができると共に、押し操作された際の力点部４２０を窪部内に収めることが可能になる。この結果、押し操作の終了を使用者に視覚的に通知することができる。具体的には、図２５に表したように、例えば第４のボタン３１４が押し操作されると、力点部４２０の先端が第２の底面３６２に当たり、力点部４２０の頂点部分４２２が窪部内に入る。よって、当った感覚と共に視覚的に、押し操作の終了を使用者に通知することができる。この際、指が窪部内に入り込まないように、窪部内に入った頂点部分４２２が第１のケース３０１（枠３０１ａの先端面）と略面一となることが好ましい。
【０１７４】
＜第２実施形態＞
次に、第２実施形態に係るリモコン装置について説明する。
【０１７５】
第１実施形態ではリモコン装置３００を衛生洗浄装置のトイレ用に使用する場合を説明したが、第２実施形態では、リモコン装置を便器洗浄用にのみ使用する場合を説明する。具体的には、第２実施形態では、操作ボタンの数が１つである点で、第１実施形態と異なる。
【０１７６】
図２６は、第２実施形態に係るリモコン装置５００の正面図である。
【０１７７】
図２６で表したように、リモコン装置５００は、直方体の筐体５０２を備える。筐体５０２は、図２６では不図示であるが第１実施形態で説明した、第１のケース３０１と、第２のケース３０２と、ベース３０４と、基板３０６と、発電部３２０と、伝達機構（リンク機構）３３０と、を備える。筐体５０２には、１つの操作ボタン５０４が設けられている。操作ボタン５０４の形状及び構成は、第１実施形態で説明した操作ボタン３１０と同一である。操作ボタン５０４の機能は、例えば、押し操作されることで、トイレ内に水を流すものである。
【０１７８】
＜変形例＞
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。
【０１７９】
例えば、リモコン装置２００、３００、５００および伝達機構２３０、３３０などが備える各要素の形状、寸法、材質、配置などや操作ボタン２１０、３１０、５０４および検出部３４０の設置形態などは、例示したものに限定されるわけではなく適宜変更することができる。
【０１８０】
例えば、操作ボタン３１０の正面視の形状が四角形状である場合を説明したが、てこの原理を利用することができれば、特に限定されず、三角形状や丸形状等であってもよい。
【０１８１】
また、概略図ではあるが、操作ボタン３１０の代わりとして、図２７に表したような操作ボタン６００を用いることもできる。この操作ボタン６００は、操作ボタン３１０に比べてより湾曲したデザインとなっている。
【０１８２】
また、操作ボタン３１０の代わりとして、図２８に表したような操作ボタン６０２を用いることもできる。この操作ボタン６０２は、操作ボタン３１０に比べて第２の表面４２６が無く、面外方向（外側）に向かってのみ湾曲したデザインとなっている。
【０１８３】
また、前述した各実施の形態が備える各要素は、技術的に可能な限りにおいて組み合わせることができ、これらを組み合わせたものも本発明の特徴を含む限り本発明の範囲に包含される。
【０１８４】
また、力点部４２０は、全部が外部に突出しているが、一部のみが突出していてもよい。
【符号の説明】
【０１８５】
３００、５００：リモコン装置
３０１ｃ、３０１ｄ：第１の窪部、第２の窪部（窪部）
３０１：第１のケース３０１（筐体）
３１０、５０４、６０２、６００：操作ボタン
４１０：支点部
４０９：作用点部
３３４：軸（付勢手段）
３３６：バネ（付勢手段）
４２０：力点部
【図１】
2015231154.tif 000003
【図２】
2015231154.tif 000004
【図３】
2015231154.tif 000005
【図４】
2015231154.tif 000006
【図５】
2015231154.tif 000007
【図６】
2015231154.tif 000008
【図７】
2015231154.tif 000009
【図８】
2015231154.tif 000010
【図９】
2015231154.tif 000011
【図１０】
2015231154.tif 000012
【図１１】
2015231154.tif 000013
【図１２】
2015231154.tif 000014
【図１３】
2015231154.tif 000015
【図１４】
2015231154.tif 000016
【図１５】
2015231154.tif 000017
【図１６】
2015231154.tif 000018
【図１７】
2015231154.tif 000019
【図１８】
2015231154.tif 000020
【図１９】
2015231154.tif 000021
【図２０】
2015231154.tif 000022
【図２１】
2015231154.tif 000023
【図２２】
2015231154.tif 000024
【図２３】
2015231154.tif 000025
【図２４】
2015231154.tif 000026
【図２５】
2015231154.tif 000027
【図２６】
2015231154.tif 000028
【図２７】
2015231154.tif 000029
【図２８】
2015231154.tif 000030